(57)【要約】【課題】防滑パッドの提供。【解決手段】定位性が好ましく、便利性を向上させる防滑パッドで、環帯を有し、環帯は伸縮性、防水性を有し、環帯上にパッドを設置する。パッドは冷、温パッドで、環帯両端に相互接合する結合素子を有する。環帯を両端間の結合素子により環円に接合する。上述のような構造により、使用者は環帯を肢体、或いは、頭部に環設し、適用範囲が広く、防滑定位性が好ましく、脱落しにくい。同時に、使用の便利性を増加させ、パッドの付加価値を増加させ、商品の競争力を増加する。【選択図】    図１
0003127547.tif 000002
【実用新案登録請求の範囲】
【請求項１】
防滑パッドであって、環帯を有し、前記環帯上にパッドを有し、且つ、前記環帯両端間に結合素子を有し、前記環帯を環円体に環繞し、これにより、使用者は前記環帯を直接人体の部位に環設し、結合素子により環固して、防滑定位性が好ましくすることを特徴とする防滑パッド。
【請求項２】
前記環帯は伸縮性を有し、且つ、防水材質からなることを特徴とする請求項１に記載の防滑パッド。
【請求項３】
前記パッドは温パッド、或いは、冷パッドであることを特徴とする請求項１に記載の防滑パッド。        
【請求項４】
前記結合素子は、前記環帯の両端内、外側面にそれぞれ相対粘着する第一、第二マジックテープ（登録商標）を有することを特徴とする請求項１に記載の防滑パッド。
【請求項５】
前記結合素子は、前記環帯の両端に相互係合する第一、第二係合素子を有し、前記環帯は前記結合素子の第一、第二係合素子により環円体にすることを特徴とする請求項１に記載の防滑パッド。  
【請求項６】
前記環帯上に開口を有する容置袋を設置し、前記容置袋はパッドを容置し、使用者は必要に応じて交換できることを特徴とする請求項１に記載の防滑パッド。
【請求項７】
前記容置袋開口は、パッド脱落防止用の封合素子を有することを特徴とする請求項６に記載の防滑パッド。  
【請求項８】
前記封合素子は、ファスナーかマジックテープ（登録商標）で、使用者が取り出し、或いは、置き入れしやすいことを特徴とする請求項７に記載の防滑パッド。
【請求項９】
前記環帯上に複数のパッドが対応する弾性ベルトを有し、各ベルト端部と前記環帯野相対表面に第一、第二マジックテープ（登録商標）を有し、使用者はベルトによりパッドを前記環帯上に束設することを特徴とする請求項１に記載の防滑パッド。
【考案の詳細な説明】
【技術分野】
【０００１】
本考案は防滑パッドに関し、詳細には、定位効果が好ましく、且つ、適用範囲が広い防滑パッドに関する。
【背景技術】
【０００２】
パッドは冷温作用により、人体に冷温効果を与える医療器材であり、現在よく見られるパッドは主に、解熱のための冷パッドと運動障害を和らげる温パッドであるが、それ自身には特殊な定位のための構造設計はなく、よって、この種にパッドは通常、使用者の患部や額頭に貼覆して使用し、滑落を防止するため、使用者は同一姿勢を維持してその効果を発揮させなければならないので、非常に不便で、パッドの使用範囲も制限を受け、使用者のニーズに符合しない。
【０００３】
よって、本考案は防滑パッドを提供し、現有の定位性の悪さと使用上の不便を改善する。
【考案の開示】
【考案が解決しようとする課題】
【０００４】
本考案の目的は、防滑パッドを提供し、滑り止めと定位効果を向上させ、適用範囲と使用のける便利性を向上することにある。
【課題を解決するための手段】
【０００５】
本考案の防滑パッドは、以下のような技術手段により、本考案の各項目と功能を実現する。環帯を有し、環帯上にパッドを設置し、環帯両端間に結合素子を有し、環帯を環円体に接合する。
【考案の効果】
【０００６】
上述のような構造により、本考案は、環帯を使用者の肢体や頭部等の部位に環設し、適用範囲が広く、防滑、定位性が好ましいだけでなく、滑落しにくいという効果もあり、使用の便利性を向上させ、付加価値を増加させ、商品の競争力を増加する。
【考案を実施するための最良の形態】
【０００７】
本考案は、人体に用いる冷温用防滑パッドで、図１で示されるように、防滑パッドは環帯（１０）を有し、環帯（１０）上にパッド（１５）を有し、且つ、環帯（１０）両端間に結合素子（２０）を有し、環帯（１０）が環円体に接合される。
【０００８】
本考案の好ましい実施例の詳細構成に関し、図１、図２を合わせて参照すると、環帯（１０）は伸縮性を有し、防水性材質からなる。パッド（１５）は環帯（１０）中央内側面に位置し、固定、或いは、分離式であり、パッド（１５）はホットパッド、或いは、コールドパッドで、また、結合素子（２０）は環帯（１０）両端の内、外側面にそれぞれ、相対粘着する第一マジックテープ（登録商標）（２１）、第二マジックテープ（登録商標）（２２）を有し、環帯（１０）は結合素子（２０）の第一、第二マジックテープ（登録商標）（２１）（２２）により図２で示されるような環円体に接合する。
【０００９】
これにより、環帯（１０）を直接人体の対応する部位に直接環設し、結合素子（２０）により固定し、防滑定位性がよく、使用しやすい防滑パッドを構成する。
【００１０】
本考案の実際の運用は、図１〜図３を参照し、使用者の身体部分でホットパッド、或いは、コールドパッドが必要時、環帯（１０）を患部に環繞し、環帯（１０）上のパッド（１５）を患部に対応させ、結合素子（２０）の第一、第二マジックテープ（登録商標）（２１）（２２）を相互接合し、環帯（１０）を環円体に繞成する。環帯（１０）は伸縮性を有するので、その防滑定位効果が大幅に増加し、人体の異なる部位に適用でき、適用範囲と使用の便利性が増加する。
【００１１】
また、本考案の別の実施例が図４で示され、環帯（１０）両端に相互係合する第一、第二係合素子（２３）（２４）を有し、環帯（１０）は結合素子（２０）の第一、第二係合素子（２３）（２４）を環円体に繞成し、同様に、好ましい防滑性と定位性を有する。図５で示されるように、環帯（１０）内側面中段に開口を有する容置袋（３０）を設置し、容置袋（３０）はパッド（１５）を容設し、使用者は必要に応じて交換、或いは、異なるパッド（１５）にすることができ、運用範囲を広げる。また、容置袋（３０）開口にパッド（１５）の脱落を防止する封合素子（３５）を設置し、封合素子（３５）は、ファスナーかマジックテープ（登録商標）で、使用者がパッド（１５）を取り出し、置き入れしやすい。更に、図６で示されるように、環帯（１０）上に複数のパッド（１５）に対応する弾性バンド（４０）を設置し、バンド（４０）端部と環帯（１０）の相対表面にそれぞれ、第一、第二マジックテープ（登録商標）（４１）（４２）を有し、使用者はバンド（４０）によりパッド（１５）を環帯（１０）上に束設し、交換が便利である。
【図面の簡単な説明】
【００１２】
【図１】本考案の防滑パッドの立体外観図である。
【図２】本考案の防滑パッドの断面図である。
【図３】本考案の防滑パッドの使用参考図である。
【図４】本考案の防滑パッドのもう一つの実施例の外観図である。
【図５】本考案の防滑パッドの更にもう一つの局部外観図である。
【図６】本考案の防滑パッドの更にもう一つの実施例の局部外観図である。
【符号の説明】
【００１３】
（１０）環帯
（１５）パッド
（２０）結合素子
（２１）第一マジックテープ（登録商標）
（２２）第二マジックテープ（登録商標）
（２３）第一係合素子
（２４）第二係合素子
（３０）容置袋
（３５）封合素子
（４０）バンド
（４１）第一マジックテープ（登録商標）
（４２）第二マジックテープ（登録商標）
【図１】
0003127547.tif 000003
【図２】
0003127547.tif 000004
【図３】
0003127547.tif 000005
【図４】
0003127547.tif 000006
【図５】
0003127547.tif 000007
【図６】
0003127547.tif 000008